(57)【要約】【課題】積み重ねられた場合でも、その重量で側面間の折曲線の端部が破れ難い箱体の提供。【解決手段】４つの側面１５，１５，１６，１６を有する筒状本体と、筒状本体の２つの開口部を各閉鎖する蓋及び底面とを備え、蓋及び／又は底面が、内側に折曲線で折り曲げられた一対の内フラップ１２，１２と、一対の内フラップ１２，１２の外側で、内側に折曲線で折り曲げられた一対の外フラップ１０ａ，１０ａとを有する箱体。外フラップ１０ａ，１０ａの周縁部の折曲線との交点近傍に凹部２１を設けてある構成である。【選択図】図１
2008030769.tif 000002
【特許請求の範囲】
【請求項１】
４つの側面を有する筒状本体と、該筒状本体の２つの開口部を各閉鎖する蓋及び底面を備え、該蓋及び／又は底面が、内側に折曲線で折り曲げられた一対の内フラップと、該一対の内フラップの外側で、内側に折曲線で折り曲げられた一対の外フラップとを有する箱体において、
前記蓋及び／又は底面の外フラップの周縁部の前記折曲線との交点近傍に凹部を設けてあることを特徴とする箱体。
【請求項２】
４つの側面を有する筒状本体と、該筒状本体の２つの開口部を各閉鎖する蓋及び底面とを備え、該蓋及び／又は底面が、内側に折曲線で折り曲げられた一対の内フラップと、該一対の内フラップの外側で、内側に折曲線で折り曲げられた一対の外フラップとを有し、該外フラップに連続する側面が、前記内フラップに連続する側面より、該内フラップの厚さ分延設された箱体において、
前記蓋及び／又は底面の内フラップの厚さ分延設された側面の周縁部に凹部を設けてあることを特徴とする箱体。
【請求項３】
前記外フラップの端部を前記内フラップに設けた切り込み部に差し込むように構成してある請求項１又は２記載の箱体。
【発明の詳細な説明】
【技術分野】
【０００１】
本発明は、４つの側面を有する筒状本体と、筒状本体の２つの開口部を各閉鎖する蓋及び底面とを備え、蓋及び／又は底面が、内側に折曲線で折り曲げられた一対の内フラップと、一対の内フラップの外側で、内側に折曲線で折り曲げられた一対の外フラップとを有する箱体に関するものである。
【背景技術】
【０００２】
被収納物を収納する為の箱体には、特許文献１に記載されているように、蓋及び底面にそれぞれ一対の内フラップ及び一対の外フラップを備えたものがある。
図３は、段ボール製のそのような箱体の一例を展開して示す展開図である。
この箱体は、４つの側面１５，１５，１６，１６（小さい方の側面１６はツマ面）と、側面１５，１５に各連続する蓋用の内フラップ１２，１２、及び底面用の外フラップ１４，１４と、側面１６，１６に各連続する蓋用の外フラップ１０，１０、及び底面用の内フラップ１３，１３とを備えている。
【０００３】
蓋用の内フラップ１２には、蓋用の外フラップ１０が重なるべき位置に、差込口１８が２つ宛（合計４つ）設けられ、外フラップ１０には、差込口１８に差し込まれるべき先端部の耳１１が２つ宛（合計４つ）と、差し込みを容易にする為の中間部の折曲線２０とが設けられている。
外フラップ１０に連続する側面１６は、内側に折り曲げ易いように、部分拡大図Ｂに示すように、内フラップ１２に連続する側面１５より、内フラップ１２の厚さ分延設されている。
一つの側面１５には、一つの側面１６側に折り込んで糊付け又はステーブル付けする為の折込片１７が設けられている。
側面１６，１６の上部には、取っ手用の孔１９が設けられている。
【０００４】
このような展開された箱体では、折込片１７と一つの側面１６とが糊付け又はステーブル付けされることにより、４つの側面１５，１５，１６，１６による筒状本体が形成される。この状態で、内フラップ１３，１３が内側に折り曲げられ、その外側から外フラップ１４，１４が内側に折り曲げられ、外フラップ１４，１４がステーブル付けされることにより底面が形成され、図４（ａ）に示すような蓋が閉じられていない箱体が形成される。
【０００５】
このような状態で、被収納物が収納された後、内フラップ１２，１２が内側に折り曲げられ、その外側から外フラップ１０，１０が内側に折り曲げられ、外フラップ１０，１０の各耳１１，１１が各差込口１８に差し込まれて、図４（ｂ）に示すような蓋が形成される。
【特許文献１】実開昭６２−１３００１６号公報
【発明の開示】
【発明が解決しようとする課題】
【０００６】
上述したような箱体では、被収納物が例えばテレビジョン受像機のように比較的に重量のあるものであれば、積み重ねられた場合に、蓋の外フラップ１０に直接重力が加わり、それを逃がす力が、図４（ｂ）の矢符Ｃに示す水平方向に生じる。その為、側面１６及び側面１５間の折曲線の上端部Ｄが破れることがあるという問題が有る。特に、図４（ｂ）に示すように、外フラップ１０の面積の蓋全体に占める割合が小さい場合には、それだけ、加わる重力が集中し、水平方向に生じる力も大きくなり、破れ易くなる。また、底面の外フラップ１４，１４にも同様の問題が有る。
本発明は、上述したような事情に鑑みてなされたものであり、積み重ねられた場合でも、側面間の折曲線の端部が破れ難い箱体を提供することを目的とする。
【課題を解決するための手段】
【０００７】
本発明に係る箱体は、４つの側面を有する筒状本体と、該筒状本体の２つの開口部を各閉鎖する蓋及び底面を備え、該蓋及び／又は底面が、内側に折曲線で折り曲げられた一対の内フラップと、該一対の内フラップの外側で、内側に折曲線で折り曲げられた一対の外フラップとを有する箱体において、前記蓋及び／又は底面の外フラップの周縁部の前記折曲線との交点近傍に凹部を設けてあることを特徴とする。
【０００８】
本発明に係る箱体は、４つの側面を有する筒状本体と、該筒状本体の２つの開口部を各閉鎖する蓋及び底面とを備え、該蓋及び／又は底面が、内側に折曲線で折り曲げられた一対の内フラップと、該一対の内フラップの外側で、内側に折曲線で折り曲げられた一対の外フラップとを有し、該外フラップに連続する側面が、前記内フラップに連続する側面より、該内フラップの厚さ分延設された箱体において、前記蓋及び／又は底面の内フラップの厚さ分延設された側面の周縁部に凹部を設けてあることを特徴とする。
【０００９】
本発明に係る箱体は、前記外フラップの端部を前記内フラップに設けた切り込み部に差し込むように構成してあることを特徴とする。
【発明の効果】
【００１０】
本発明に係る箱体によれば、外フラップの周縁部の折曲線との交点近傍に設けられた凹部が、水平方向に生じた力を吸収するので、積み重ねられた場合でも、側面間の折曲線の端部が破れ難い箱体を実現することができる。
【００１１】
また、本発明に係る箱体によれば、外フラップに連続し、内フラップの厚さ分延設された側面の周縁部に設けられた凹部が、水平方向に生じた力を吸収するので、積み重ねられた場合でも、側面間の折曲線の端部が破れ難い箱体を実現することができる。
【００１２】
また、本発明に係る箱体によれば、外フラップの端部を内フラップに設けた切り込み部に差し込むので、蓋をし易く、積み重ねられた場合でも、側面間の折曲線の端部が破れ難い箱体を実現することができる。
【発明を実施するための最良の形態】
【００１３】
以下に、本発明をその実施の形態を示す図面に基づいて説明する。
図１は、本発明に係る箱体の実施の形態を展開して示す展開図である。
この箱体は、段ボール製であり、４つの側面１５，１５，１６，１６（小さい方の側面１６はツマ面）と、側面１５，１５に各連続する蓋用の内フラップ１２，１２、及び底面用の外フラップ１４，１４と、側面１６，１６に各連続する蓋用の外フラップ１０ａ，１０ａ、及び底面用の内フラップ１３，１３とを備えている。
【００１４】
蓋用の内フラップ１２には、蓋用の外フラップ１０ａが重なるべき位置に、差込口１８が２つ宛（合計４つ）設けられ、外フラップ１０ａには、差込口１８に差し込まれるべき先端部の耳１１が２つ宛（合計４つ）と、差し込みを容易にする為の中間部の折曲線２０とが設けられている。
差込口１８は、耳１１の差し込み方向に直角の平行２辺ａ，ｄを有する台形形状であり、差し込み方向の手前側の辺ａは折曲線であり、他の３辺ｂ、ｃ、ｄは切込線である。差し込み方向の向こう側の辺ｄの一部には、耳１１を差し込む為の孔ｅが形成されている。これにより、耳１１の差し込みが容易になっている。
【００１５】
外フラップ１０ａに連続する側面１６は、内側に折り曲げ易いように、部分拡大図Ａに示すように、内フラップ１２に連続する側面１５より、内フラップ１２の厚さ分延設され、その延設された周縁部に凹部２１が設けられている。
一つの側面１５には、一つの側面１６側に折り込んで糊付け又はステーブル付けする為の折込片１７が設けられている。
側面１６，１６の上部には、取っ手用の孔１９が設けられている。
【００１６】
このような展開された箱体では、折込片１７と一つの側面１６とが糊付け又はステーブル付けされることにより、４つの側面１５，１５，１６，１６による筒状本体が形成される。この状態で、内フラップ１３，１３が内側に折り曲げられ、その外側から外フラップ１４，１４が内側に折り曲げられ、外フラップ１４，１４がステーブル付けされることにより底面が形成され、図２（ａ）に示すような蓋が閉じられていない箱体が形成される。
このような状態で、被収納物が収納された後、内フラップ１２，１２が内側に折り曲げられ、その外側から外フラップ１０ａ，１０ａが内側に折り曲げられ、外フラップ１０ａ，１０ａの各耳１１，１１が各差込口１８に差し込まれて、図２（ｂ）に示すような蓋が形成される。
【００１７】
このような箱体では、被収納物が例えばテレビジョン受像機のように比較的に重量のあるものであり、積み重ねられた場合に、蓋の外フラップ１０ａに直接重力が加わり、それを逃がす力が水平方向（図４（ｂ）の矢符Ｃ）に生じる。その際、外フラップ１０ａに連続し、内フラップ１２の厚さ分延設された側面１６の周縁部に設けられた凹部２１（部分拡大図Ａ、蓋の４隅に存在）が、その長くなった周縁で、その水平方向の力を吸収するので、側面間の折曲線の端部は破れ難くなる。
【００１８】
尚、図１に示す外フラップ１４，１４で形成される底面の４隅Ｅにも、内フラップ１３の厚さ分延設された側面１５の周縁部に、部分拡大図Ａに示すような凹部２１を設けておけば、同様の効果を奏することができる。
また、外フラップに連続する側面が、内フラップの厚さ分延設されていない場合は、外フラップの側面との折曲線近傍の周縁部に、凹部２１同様の凹部を設けておけば、その凹部が、凹部２１同様に、その長くなった周縁で、その水平方向の力を吸収するので、側面間の折曲線の端部は破れ難くなる。
【図面の簡単な説明】
【００１９】
【図１】本発明に係る箱体の実施の形態を展開して示す展開図である。
【図２】図１に示す箱体の展開体を組み立てた外観を示す斜視図である。
【図３】従来の箱体の一例を展開して示す展開図である。
【図４】図３に示す箱体の展開体を組み立てた外観を示す斜視図である。
【符号の説明】
【００２０】
１０ａ，１４  外フラップ
１１  耳
１２，１３  内フラップ
１５，１６  側面
１８  差込口
２０  折曲線
２１  凹部
【図１】
2008030769.tif 000003
【図２】
2008030769.tif 000004
【図３】
2008030769.tif 000005
【図４】
2008030769.tif 000006